(57)【要約】【課題】開封作業性を向上し、開封状態で積み重ねることも可能な耐圧強度の高い包装箱を提供する。【解決手段】一対の第１，第２端壁１０Ａ，１０Ｂおよび第１，第２側壁１１Ａ，１１Ｂを備え、各端壁１０Ａ，１０Ｂの上端に第１，第２内フラップ１４Ａ，１４Ｂを連設するとともに、第１，第２側壁１１Ａ，１１Ｂの上端に第１，第２外フラップ１５Ａ，１５Ｂを連設した包装箱において、第１側壁１０Ａから第１外フラップ１５Ａの先端にかけて延びる破断手段１８を設けるとともに、破断手段１８によって破断した第１端壁１０Ａの側に位置する第１破断縁１８ａを、組立状態で第１内フラップ１４Ａの先端より連続した第１端壁１１Ａの側に位置させ、第１内フラップ１４Ａに、第１外フラップ１５Ａにおける第１破断縁１８ａと反対の第２破断縁１８ｂを把持可能とする切欠部２５を設けた構成とする。【選択図】図１
2006137467.tif 000002
【特許請求の範囲】
【請求項１】
それぞれ一対の第１，第２端壁および第１，第２側壁を備え、前記各端壁の上端に第１，第２内フラップをそれぞれ連設するとともに、前記第１，第２側壁の上端に第１，第２外フラップをそれぞれ連設した包装箱において、
前記第１側壁から第１外フラップの先端にかけて延びる破断手段を設けるとともに、少なくとも前記破断手段によって破断した前記第１端壁の側に位置する第１破断縁を、組立状態で第１内フラップの先端より連続した前記第１端壁の側に位置させ、
前記第１内フラップに、前記第１外フラップにおける前記第１破断縁と反対の第２破断縁を把持可能とする切欠部を設けたことを特徴とする包装箱。
【請求項２】
前記破断手段は、ミシン目状をなすように断続的に設けた一対の切断線からなり、前記各側壁から各外フラップの先端にかけてそれぞれ設けられていることを特徴とする請求項１に記載の包装箱。
【請求項３】
前記外フラップの先端に、前記切断線間に位置する切欠部を設けたことを特徴とする請求項２に記載の包装箱。
【発明の詳細な説明】
【技術分野】
【０００１】
本発明は、所定の商品を包装する包装箱に関し、特に、開封作業性を向上させたものである。
【背景技術】
【０００２】
この種の包装箱は、四方を囲繞する一対の端壁および側壁を備え、前記端壁の上下端縁にそれぞれ内フラップが連設されるとともに、前記側壁の上下端縁にそれぞれ外フラップが連設されている。そして、前記端壁および側壁からなる周壁の上下端開口は、一対の内フラップを端壁に対して内向きに折り曲げた後、その上側に重畳するように外フラップを内向きに折り曲げ、これら外フラップの突き合わさった先端部分を粘着テープによって貼着することにより封緘される。
【０００３】
この種の包装箱において、開封作業性を向上させる構成とした本発明の包装箱に関連する先行技術文献情報としては次のものがある。
【０００４】
【特許文献１】実公平５−２４３９号公報
【０００５】
この特許文献１では、端壁における上部中央に略Ｕ字形状をなす切目線を設けることにより、該切目線内に舌片を形成するとともに、切目線の周囲に肉厚を圧縮するように押し潰した凹所を形成した包装箱が記載されている。そして、粘着テープによって上端開口を封緘する際には、その粘着テープの端部を前記舌片上に位置させる。また、開封する際には、前記凹所を内向きに押圧することにより舌片の端部を把持することにより、粘着テープを一緒に剥がすことにより、開封作業性を向上できるように構成している。
【０００６】
この特許文献１の構成は、開封作業性がよく、問題点はないが、強いて言えば開封後に包装箱を構成する段ボール紙に剥がれた部分が生じるため、耐圧強度が低下する。そのため、この開封状態で他の包装箱を積み重ねるには強度が不足する。
【発明の開示】
【発明が解決しようとする課題】
【０００７】
本発明では、開封作業性を向上し、開封状態で積み重ねることも可能な耐圧強度の高い包装箱を提供することを課題とするものである。
【課題を解決するための手段】
【０００８】
前記課題を解決するため、本発明の包装箱は、それぞれ一対の第１，第２端壁および第１，第２側壁を備え、前記各端壁の上端に第１，第２内フラップをそれぞれ連設するとともに、前記第１，第２側壁の上端に第１，第２外フラップをそれぞれ連設した包装箱において、前記第１側壁から第１外フラップの先端にかけて延びる破断手段を設けるとともに、少なくとも前記破断手段によって破断した前記第１端壁の側に位置する第１破断縁を、組立状態で第１内フラップの先端より連続した前記第１端壁の側に位置させ、前記第１内フラップに、前記第１外フラップにおける前記第１破断縁と反対の第２破断縁を把持可能とする切欠部を設けた構成としている。
【０００９】
この包装箱では、前記破断手段は、ミシン目状をなすように断続的に設けた一対の切断線からなり、前記各側壁から各外フラップの先端にかけてそれぞれ設けられていることが好ましい。
この場合、前記外フラップの先端に、前記切断線間に位置する切欠部を設けることが好ましい。
【発明の効果】
【００１０】
本発明の包装箱では、第１側壁から第１外フラップの先端にかけて延びる破断手段を設けているため、該破断手段により第１側壁および第１外フラップを破断することにより、該第１外フラップの先端に位置する封緘用の粘着テープを部分的に破断することができる。そして、この破断手段により破断した第１破断縁は、下側に位置する第１内フラップの先端より、連続した第１端壁の側に位置させる一方、前記第１内フラップには、第２破断縁を把持可能とする切欠部を設けているため、該第２破断縁を把持して第１外フラップを引き上げることにより、前記粘着テープを破断して包装箱を開封することができる。また、この開封状態において、第１外フラップの残留部分は、第１内フラップ上に位置する若干の領域だけであり、大部分の領域は開封されているため、内部に収容した商品を取り出す作業性を阻害することはない。また、前記残留部分の存在により、上下方向の耐圧強度を確保でき、この開封状態での積み重ねも可能とすることができる。
【００１１】
また、前記破断手段はミシン目状の切断線からなり、両方の側壁から外フラップにかけてそれぞれ設けているため、各ユーザが希望に応じて開封することができ、開封方法に係る多様性を向上できる。しかも、外フラップの先端に、切断線間に位置する切欠部を設けているため、一方の破断手段により第１側壁および第１外フラップを破断した後に、他方の破断手段では、第２外フラップの先端側から破断しようとした場合に、その把持位置を容易に判断できるうえ、包装箱を構成する紙が破れることも抑制できる。
【発明を実施するための最良の形態】
【００１２】
以下、本発明の実施の形態を図面に従って説明する。
【００１３】
図１から図４は、本発明の実施形態に係る包装箱を示す。この包装箱は、四方を囲繞する一対の端壁１０Ａ，１０Ｂおよび側壁１１Ａ，１１Ｂからなる周壁を備え、その各壁１０Ａ，１０Ｂ，１１Ａ，１１Ｂの上端縁に上側フラップ１４Ａ，１４Ｂ，１５Ａ，１５Ｂを連設するとともに下端縁に噛み合わせによる組立方式の下側フラップ１６Ａ〜１６Ｄを連設し、前記側壁１１Ａ，１１Ｂおよび上側外フラップ１５Ａ，１５Ｂに、開封作業用の破断手段１８を設けたものである。
【００１４】
具体的には、この包装箱は、表紙および裏紙の間に波状の中しんを配設した周知の段ボール紙を、周知の紙器打抜装置（図示せず）によって図４に示す連続した一枚のブランクとして打ち抜き、所定部位を糊付けにより貼着して成形される。
【００１５】
この包装箱のブランクは、図４に示すように、端壁１０Ａ，１０Ｂおよび側壁１１Ａ，１１Ｂが交互かつ直線的に連続するように設けられている。これらのうち、右側端部に位置する第１の側壁１１Ａの端縁には、左側端部に位置する第２の端壁１０Ｂに貼着するための糊代部１２が連設されている。そして、これら端壁１０Ａ，１０Ｂ、側壁１１Ａ，１１Ｂおよび糊代部１２の各境界部分には、肉厚を圧縮するように罫を入れて形成した折曲線１３が設けられている。
【００１６】
前記端壁１０Ａ，１０Ｂの上端縁には上側内フラップ１４Ａ，１４Ｂが連設されるとともに、前記側壁１１Ａ，１１Ｂの上端縁には上側外フラップ１５Ａ，１５Ｂが連設されている。また、各壁１０Ａ，１０Ｂ，１１Ａ，１１Ｂの下端縁には下側フラップ１６Ａ〜１６Ｄが連設されている。そして、これら各フラップと連続した各壁１０Ａ，１０Ｂ，１１Ａ，１１Ｂとの間には、前記と同様の折曲線１７が設けられている。
【００１７】
そのうち、前記側壁１１Ａ，１１Ｂおよび上側外フラップ１５Ａ，１５Ｂには、側壁１１Ａ，１１Ｂの略中央部分から上側外フラップ１５Ａ，１５Ｂの先端にかけて縦方向に延びる破断手段１８が設けられている。この破断手段１８は、前記側壁１１Ａ，１１Ｂの縦方向の略中央において、略逆Ｕ字形状をなすように断続的に設けた切断線１９と、該切断線１９の上方両側から縦方向に平行に延びミシン目状をなすように断続的に設けた一対の切断線２０Ａ，２０Ｂとからなる。なお、前記切断線１９の両端間には、横方向に延びる折曲線２１が設けられている。これにより、切断線１９と折曲線２１とで囲繞された内部には、破断開始位置となる指差部２２が形成されている。また、切断線１９，２０Ａ，２０Ｂと上側外フラップ１５の外側縁とで囲繞された内部には、破断により分離される分離部２３が形成されている。さらに、上側外フラップ１５Ａ，１５Ｂには、前記切断線２０Ａ，２０Ｂ間にかけて円弧状に切り欠いた切欠部２４が形成されている。
【００１８】
そして、本実施形態では、前記各破断手段１８，１８は、組立状態で一対の切断線２０Ａ，２０Ｂが下側に位置する上側内フラップ１４Ａの先端より、連続した端壁１０Ａの側に位置し、かつ、互いに縦方向に直線的に位置するように設けられている。また、この破断手段１８，１８の下側に位置する第１の上側内フラップ１４Ａには、略半円形状に切り欠いた切欠部２５が設けられている。この切欠部２５は、その最も第１の端壁１０Ａの側に位置する頂部が、前記破断手段１８，１８を破断することにより形成される端壁１０Ａの側の第１破断縁１８ａを越えて位置する大きさとされている。これにより、この切欠部２５内にユーザが手を挿入することにより、前記第１破断縁１８ａと反対側に形成される第２破断縁１８ｂを把持できるように構成している。
【００１９】
噛み合わせによる組立方式の下側フラップ１６Ａ〜１６Ｄは、一番目に折り曲げる第１の下側フラップ１６Ｃが側壁１１Ｂに連設され、二番目に折り曲げる一対の第２の下側フラップ１６Ｂ，１６Ｄが対向する端壁１０Ａ，１０Ｂに連設され、最後に折り曲げる第３の下側フラップ１６Ａが側壁１１Ａに連設されている。前記第１および第３の下側フラップ１６Ｃ，１６Ａは、組立状態で互いの先端縁がオーバーラップする寸法で形成されている。そして、第１の下側フラップ１６Ｃの中央には凹状に切り欠いた切欠部２６が設けられている。また、第２の下側フラップ１６Ｂ，１６Ｄには、組立状態で第１の下側フラップ１６Ｃにおいて、切欠部２６の隅部に向けて傾斜する斜辺部２７が形成されている。さらに、第３の下側フラップ１６Ａには、第１の下側フラップ１６Ｃの切欠部２６内に位置する係合突片２８が突設されるように、両端を切り欠いたものである。
【００２０】
このように構成した包装箱では、下側フラップ１６Ａ〜１６Ｄを第１から第３の順番で折り曲げ、第３の下側フラップ１６Ａの係合突片２８を切欠部２６を通して第１の下側フラップ１６Ｃの内側に係合させることにより、図２に示すように、底面開口を閉塞する。この状態で、開放された上端開口より内部に所定の商品を収容し、上側内フラップ１４Ａ，１４Ｂを内向きに折り曲げた後、上側外フラップ１５Ａ，１５Ｂを内向きに折り曲げ、突き合わさった上側外フラップ１５Ａ，１５Ｂの先端部分を、両端の端壁１０Ａ，１０Ｂにかけて粘着テープ２９で貼着することにより、封緘する。
【００２１】
この封緘状態の包装箱を開封する際には、例えば、図３（Ａ）に示すように、側壁１１Ａの指差部２２に指を当てて押圧し、切断線１９に沿って破断することにより指差部２２を内向きに折り曲げる。ついで、露出した分離部２３の端縁を指で把持し、図３（Ｂ）に示すように、該分離部２３を外向きに引っ張ることにより切断線２０Ａ，２０Ｂに沿って側壁１１Ａおよび上側外フラップ１５Ａを破断する。この際、上側外フラップ１５Ａの先端縁に貼着された粘着テープ２９が一緒に部分的に破断される。なお、粘着テープ２９の破断作用は、使用する粘着テープ２９の種類により差異が生じるが、縦横に延びる繊維状部材を有する基材を用いたものである場合には、図示のように分離部２３の形状に沿って破断されることが多い。
【００２２】
その後、同様にして側壁１１Ｂの指差部２２を押圧し、露出した分離部２３の端部を把持して引っ張ることにより逆側の側壁１１Ｂおよび上側外フラップ１５Ｂを部分的に破断する。次に、露出した内部の上側内フラップ１４Ａの切欠部２５内に手を差し込み、破断により形成された第２の端壁１０Ｂの側の第２破断縁１８ｂ，１８ｂを把持し、外向きに広げることにより、図３（Ｃ）に示すように、包装箱を開封する。
【００２３】
このように、本実施形態の包装箱では、側壁１１Ａ，１１Ｂから上側外フラップ１５Ａ，１５Ｂの先端にかけて延びる破断手段１８を設けているため、カッターなどの切断具を使用することなく、上側外フラップ１５Ａ，１５Ｂを貼着した粘着テープ２９を一緒に簡単に破断できる。そして、破断手段１８は、一方の上側内フラップ１４Ａに偏るように設けるとともに、その上側内フラップ１４Ａに第２破断縁１８ｂを把持可能とする切欠部２５を設けているため、残留した粘着テープ２９を破断しながら、第２の端壁１０Ｂの側に位置する残留した上側外フラップ１５Ａ，１５Ｂを簡単に開放することができる。
【００２４】
そして、この開封状態において、包装箱の上端開口を閉塞したままの状態となる残留部分は、上側内フラップ１４Ａ上に位置する若干の領域だけであり、大部分の領域は開封されるため、内部に収容した商品を取り出す作業性を阻害することはない。また、前記残留部分の存在により、上下方向の耐圧強度を確保できる。その結果、この開封状態での他の包装箱を情報に積み重ねを可能とすることができる。
【００２５】
しかも、本実施形態のように下側フラップ１６Ａ〜１６Ｄを噛み合わせ組立構造とせず、周知の内フラップと外フラップによる組立構造とすれば、ブランク形状が簡素化されるため、設備費用が高いダイカッターではなく、前記破断手段１８を形成するための部分型を用いたフレキソグルアなどの汎用加工機で製造することが可能になる。勿論、包装箱を構成する周壁の高さに左右されることもない。
【００２６】
また、本実施形態の包装箱では、両方の側壁１１Ａ，１１Ｂから上側外フラップ１５Ａ，１５Ｂにかけて破断手段１８，１８を設けているため、各ユーザが希望に応じて開封することができる。具体的には、前記した図３（Ｂ）に示す状態において、側壁１１Ｂおよび上側外フラップ１５Ｂを破断手段１８によって破断する際には、露出した上側外フラップ１５Ｂの分離部２３の先端を把持し、該上側外フラップ１５Ｂの側から破断することもできる。そのため、開封方法に係る多様性を向上できる。そして、このような開封方法を採用した場合、上側外フラップ１５Ａ，１５Ｂの先端に切断線２０Ａ，２０Ｂ間に位置する切欠部２４を設けているため、その把持位置を容易に判断できるうえ、段ボール紙の表紙が破れることも抑制できる。
【００２７】
なお、本発明の包装箱は、前記実施形態の構成に限定されるものではなく、種々の変更が可能である。
【００２８】
例えば、前記実施形態では、両方の側壁１１Ａ，１１Ｂから上側外フラップ１５Ａ，１５Ｂにかけて破断手段１８，１８を設けたが、一方のみに破断手段１８を設けてもよい。また、前記実施形態では、破断手段１８は、両方の破断縁１８ａ，１８ｂが上側内フラップ１４Ａの先端より端壁１０Ａの側に位置するように設けたが、一方の破断縁１８ａのみとしてもよい。さらに、この破断手段１８は、一対の切断線２０Ａ，２０Ｂの代わりに、段ボール紙の裏紙に樹脂テープからなる切離帯を貼着し、段ボール紙を引き裂くように破断する構成としてもよい。また、上側外フラップ１５Ａ，１５Ｂに形成した切欠部２４は設けない構成としてもよい。さらに、この切欠部２５の形状は希望に応じて変更可能である。そして、前記実施形態では、包装箱を平面視四角形状に形成したが、この包装箱は、隣接する端壁１０Ａ，１０Ｂと側壁１１Ａ，１１Ｂとの間に面取壁を設けた平面視八角形状としてもよい。
【図面の簡単な説明】
【００２９】
【図１】本発明の実施形態に係る包装箱を示す斜視図である。
【図２】下端開口のみを閉塞した状態を示す斜視図である。
【図３】（Ａ），（Ｂ），（Ｃ）は開封工程の一例を示す斜視図である。
【図４】包装箱のブランクを示す平面図である。
【符号の説明】
【００３０】
１０Ａ，１０Ｂ…端壁
１１Ａ，１１Ｂ…側壁
１４Ａ，１４Ｂ…上側内フラップ
１５Ａ，１５Ｂ…上側外フラップ
１６Ａ〜１６Ｄ…下側フラップ
１８…破断手段
１８ａ，１８ｂ…破断縁
１９…切断線
２０Ａ，２０Ｂ…切断線
２２…指差部
２３…分離部
２４…切欠部
２５…切欠部
【図１】
2006137467.tif 000003
【図２】
2006137467.tif 000004
【図３】
2006137467.tif 000005
【図４】
2006137467.tif 000006